(57)【要約】【課題】高圧の水を二流体噴霧器に供給しなくても、水道水の圧力程度の低圧で水滴を微粒化することができる二流体噴霧器及びこれを備えた空気調和装置の室外機を提供する。【解決手段】二流体噴霧器（２）は、空気と水の気液二相流を通過させて気泡を生成する気泡生成部（５）と、気泡生成部（５）を通過した気液二相流に含まれる気泡を微細化する気泡微細化部（６）と、気泡微細化部（６）を通過した後の気液二相流を噴出する噴出孔（７０）を有する噴霧部（７）と、を備える。【選択図】図３
2016075424.tif 000002
【特許請求の範囲】
【請求項１】
空気と水の気液二相流を通過させて気泡を生成する気泡生成部（５）と、
前記気泡生成部（５）を通過した気液二相流に含まれる気泡を微細化する気泡微細化部（６）と、
前記気泡微細化部（６）を通過した後の気液二相流を噴出する噴出孔（７０）を有する噴霧部（７）と、を備える二流体噴霧器。
【請求項２】
前記気泡微細化部（６）は、前記気泡生成部（５）を通過した後の気液二相流が通過する多孔体（６１）、及び前記気泡生成部（５）を通過した後の気液二相流に超音波を付与する超音波付与部（６２）の少なくとも一方を有する、請求項１に記載の二流体噴霧器。
【請求項３】
前記気泡生成部（５）は、前記気液二相流が通過する多孔体（５１）、前記気液二相流に旋回流を付与する旋回流付与部（５２）、及び前記気液二相流の流れの抵抗となる抵抗体（５３，５４）の少なくとも一つを有する、請求項１又は２に記載の二流体噴霧器。
【請求項４】
前記気泡生成部（５）は、前記気液二相流が通過する第１の多孔体（５１）を有し、
前記気泡微細化部（６）は、前記気泡生成部（５）を通過した後の気液二相流が通過するものであって前記第１の多孔体（５１）よりも目の細かい第２の多孔体（６１）を有する、請求項１に記載の二流体噴霧器。
【請求項５】
前記気泡生成部（５）は、前記第１の多孔体（５１）と前記第２の多孔体（６１）との間に設けられた隙間（５０）を含む、請求項４に記載の二流体噴霧器。
【請求項６】
熱交換器（１１）と、
前記熱交換器（１１）に向かう空気に水を噴霧する請求項１〜５の何れか１項に記載の二流体噴霧器（２）と、を備える空気調和装置の室外機。
【発明の詳細な説明】
【技術分野】
【０００１】
本発明は、二流体噴霧器及びこれを備えた空気調和装置の室外機に関する。
【背景技術】
【０００２】
従来、熱交換器に向かう空気に水を噴霧して熱交換器を補助的に冷却する二流体噴霧器を備えた空気調和装置の室外機が知られている（例えば特許文献１）。この室外機では、噴霧された水により熱交換器に向かう空気が冷却されるので、空気調和装置に必要とされる動力（消費電力）を低減することができる。このような室外機では、二流体噴霧器から噴霧される水滴が熱交換器の表面に付着すると、熱交換器が腐食する場合があるので、二流体噴霧器から噴霧される水滴は、熱交換器に到達する前に蒸発するように微粒化されていることが望ましい。
【先行技術文献】
【特許文献】
【０００３】
【特許文献１】特開２０１３−８３４３１号公報
【発明の概要】
【発明が解決しようとする課題】
【０００４】
ところで、二流体噴霧器において噴出孔から噴霧される水滴の微粒化には、噴霧圧力と、二流体噴霧器に供給される空気と水の質量流量比（ＧＬＲ＝空気の質量流量／水の質量流量）とが関係している。例えば、ＧＬＲが高くなると、水滴の微粒化に寄与する空気の量が増えて、微粒化効果が高まる。一方、低いＧＬＲで水滴を微粒化するためには、噴霧圧力を高くする必要がある。
【０００５】
また、水滴の微粒化には、二流体噴霧器内の二相流の流動様式も関係している。二流体の流動様式は、ＧＬＲが高くなるに従い、気泡流、プラグ流、スラグ流、環状流などと変化していく。その中で、プラグ流、スラグ流などになった際は、噴霧が不安定になり、結果的に微粒化効果が下がる。また、環状流も気泡流も安定した噴霧を得られるが、気泡流の方が微粒化効率は高い。
【０００６】
すなわち、低いＧＬＲの場合、高圧の水を二流体噴霧器に供給する必要があるので、水道水の圧力では水滴を微粒化することができない。しかし、ＧＬＲを高くすると、流動様式が環状流となってしまい、低いＧＬＲの時のみ実現できるとされている気泡流よりも微粒化効率は下がってしまう。
【０００７】
本発明の目的は、高圧の水を二流体噴霧器に供給しなくても、水道水の圧力程度の低圧で水滴を微粒化することができる二流体噴霧器及びこれを備えた空気調和装置の室外機を提供することである。
【課題を解決するための手段】
【０００８】
本発明の二流体噴霧器（２）は、空気と水の気液二相流を通過させて気泡を生成する気泡生成部（５）と、前記気泡生成部（５）を通過した気液二相流に含まれる気泡を微細化する気泡微細化部（６）と、前記気泡微細化部（６）を通過した後の気液二相流を噴出する噴出孔（７０）を有する噴霧部（７）と、を備える。
【０００９】
高いＧＬＲ（すなわち、ＧＬＲ≧０．０４）となるように空気と水が供給される二流体噴霧器（２）の内部では、気液二相流の流動様式が環状流になりやすい。そこで、本発明では、二流体噴霧器（２）の内部において流動様式が環状流となった気液二相流を、二流体噴霧器の内部において噴出孔（７０）に至るまでの間に、気泡生成部（５）と気泡微細化部（６）において段階的に、気泡が微細化された気液二相流に変化させる。
【００１０】
すなわち、本発明では、流動様式が環状流である気液二相流が気泡生成部（５）を通過することによって気泡が生成され、この気泡生成部（５）を通過した気液二相流に含まれる気泡を気泡微細化部（６）において微細化する。このように流動様式が環状流である気液二相流は、気泡生成部（５）と気泡微細化部（６）において段階的に気泡が微細化されることにより、微細な気泡が分散した気液二相流（流動様式が気泡流である気液二相流又はそれに近い流動状態の気液二相流）に変化する。そして、微細な気泡が分散した気液二相流が噴霧部（７）において噴出孔（７０）から噴出される。このとき、噴出孔（７０）又はその近傍において微細な気泡が破裂する力によって水滴が微粒化される。以上のことから、本発明では、水道水の圧力又はそれに近い圧力であっても水滴を微粒化することができる。
【００１１】
なお、本発明のように気泡生成部（５）と気泡微細化部（６）を用いた段階的な手段ではなく、単一の手段で環状流を気泡流又はそれに近い流動状態に直接変化させるのは困難である。その一方で、本発明のように、気泡微細化部（６）において気泡を微細化できる程度の中間的な大きさの気泡を気泡生成部（５）において予め生成しておくことによって、環状流から気泡流又はそれに近い流動状態の気液二相流を効果的に生成することができる。
【００１２】
また、例えば単一の多孔体で環状流を気泡流又はそれに近い流動状態に変化させようとすると、多孔体を通過するときの圧力損失が大きくなりすぎるという不具合が生じるが、段階的に気泡を微細化する本発明では、そのような圧力損失の増大が生じるのを抑制することができる。
【００１３】
前記二流体噴霧器（２）において、前記気泡微細化部（６）は、前記気泡生成部（５）を通過した後の気液二相流が通過する多孔体（６１）、及び前記気泡生成部（５）を通過した後の気液二相流に超音波を付与する超音波付与部（６２）の少なくとも一方を有しているのが好ましい。
【００１４】
この構成では、気泡生成部（５）において生成された中間的な大きさの気泡をさらに微細化する手段として、多孔体（６１）及び超音波付与部（６２）の少なくとも一方を採用することにより、微細な気泡が分散した気液二相流を、噴霧部（７）の噴出孔（７０）に安定して供給することができる。
【００１５】
前記二流体噴霧器（２）において、前記気泡生成部（５）は、前記気液二相流が通過する多孔体（５１）、前記気液二相流に旋回流を付与する旋回流付与部（５２）、及び前記気液二相流の流れの抵抗となる抵抗体（５３，５４）の少なくとも一つを有していてもよい。
【００１６】
気泡生成部（５）は、気泡微細化部（６）において気泡を微細化できる程度の中間的な大きさの気泡を生成できるものであればよい。したがって、気泡生成部（５）としては、上記のように多孔体（５１）、旋回流付与部（５２）及び抵抗体（５３，５４）の少なくとも１つを採用することができる。抵抗体としては、後述の図８，９に示すような板状部（５３）、後述の図１０，１１に示すような段差部（５４）などを例示できる。
【００１７】
前記二流体噴霧器（２）において、前記気泡生成部（５）は、前記気液二相流が通過する第１の多孔体（５１）を有し、前記気泡微細化部（６）は、前記気泡生成部（５）を通過した後の気液二相流が通過するものであって前記第１の多孔体（５１）よりも目の細かい第２の多孔体（６１）を有していてもよい。
【００１８】
この構成では、気泡微細化部（６）において気泡を微細化できる程度の中間的な大きさの気泡を第１の多孔体（５１）において生成し、この中間的な大きさの気泡を第２の多孔体（６１）においてさらに微細化することができる。
【００１９】
前記二流体噴霧器（２）において、前記気泡生成部（５）は、前記第１の多孔体（５１）と前記第２の多孔体（６１）との間に設けられた隙間（５０）を含んでいるのが好ましい。
【００２０】
この構成では、第１の多孔体（５１）と第２の多孔体（６１）との間に隙間（５０）が設けられているので、中間的な大きさの複数の気泡を安定して生成することができる。
【００２１】
本発明の空気調和装置の室外機は、熱交換器（１１）と、前記熱交換器（１１）に向かう空気に水を噴霧する前記二流体噴霧器（２）と、を備える。
【００２２】
この構成では、二流体噴霧器（２）において微粒化された水滴を噴霧することができるので、噴霧された水により熱交換器に向かう空気が冷却され、その結果、空気調和装置の室外機の運転に必要な入力を低減することができる。また、この構成では、二流体噴霧器（２）において水道水の圧力又はそれに近い圧力で水滴を微粒化することができるので、例えば水圧を高めるための手段（噴霧圧力を高めるための手段）を別途設けなくてもよい。
【発明の効果】
【００２３】
本発明によれば、二流体噴霧器において、水道水の圧力又はそれに近い圧力で水滴を微粒化することができる。
【図面の簡単な説明】
【００２４】
【図１】本発明の実施形態に係る二流体噴霧器を備えた空気調和装置の室外機を示す概略図である。
【図２】前記室外機における二流体噴霧器、熱交換器及び吹出口の配置例を示す斜視図である。
【図３】前記二流体噴霧器を示す断面図である。
【図４】本発明の第１実施形態に係る二流体噴霧器を示す断面図である。
【図５】本発明の第２実施形態に係る二流体噴霧器を示す断面図である。
【図６】本発明の第３実施形態に係る二流体噴霧器を示す断面図である。
【図７】本発明の第４実施形態に係る二流体噴霧器を示す断面図である。
【図８】本発明の第５実施形態に係る二流体噴霧器を示す断面図である。
【図９】本発明の第６実施形態に係る二流体噴霧器を示す断面図である。
【図１０】本発明の第７実施形態に係る二流体噴霧器を示す断面図である。
【図１１】（Ａ）は、第７実施形態の二流体噴霧器における抵抗体の一例を示す断面図であり、（Ｂ）は、第７実施形態の二流体噴霧器における抵抗体の他の例を示す断面図である。
【図１２】本発明の第８実施形態に係る二流体噴霧器を示す断面図である。
【図１３】前記室外機の変形例１を示す概略図である。
【図１４】前記室外機の変形例２を示す概略図である。
【図１５】前記室外機の変形例３を示す概略図である。
【発明を実施するための形態】
【００２５】
以下、本発明の実施形態に係る二流体噴霧器２及びこれを備えた空気調和装置の室外機１０について図面を参照して説明する。空気調和装置は、図１に示す室外機１０と、図略の室内機と、これらを接続する図略の連絡配管（冷媒配管）とを備えている。空気調和装置は、蒸気圧縮冷凍サイクルを行う冷媒回路を備えている。
【００２６】
［空気調和装置の室外機］
図１に示すように、室外機１０は、噴霧機構１、熱交換器１１、送風機１２、圧縮機１３、制御部１４、外気温度センサ１５などを備えている。熱交換器１１、送風機１２、圧縮機１３及び制御部１４は、室外機１０のケース１６内に収容されている。制御部１４は、噴霧機構１、送風機１２、圧縮機１３などの運転を制御する。熱交換器１１及び圧縮機１３は、前記冷媒回路に設けられている。
【００２７】
噴霧機構１は、冷房運転時において熱交換器１１に向かう外気を冷却することができる。噴霧機構１は、熱交換器１１に向かう外気の温度を低下させることにより、熱交換器１１の伝熱管及び冷媒を冷却する効果を高めることができる。このように噴霧機構１は、熱交換器１１及び冷媒を補助的に冷却して空気調和装置の冷房能力を高めることができる。噴霧機構１の詳細については後述する。
【００２８】
熱交換器１１としては、例えばクロスフィンコイル式の熱交換器が挙げられるが、これに限定されない。クロスフィンコイル式の熱交換器は、伝熱管と、伝熱管が貫通する多数のプレートフィンとを備えており、伝熱管の内部を冷媒が流れ、プレートフィン同士の間を外気が流れる。図２に示す具体例では、熱交換器１１は、室外機１０の設置面（水平面）に対して上方に立設されており、平面視で略Ｕ字形状を有している。ただし、熱交換器１１の配置はこれに限られない。ケース１６の４つの側板のうち、熱交換器１１に対向する３つの側板１６ａ，１６ｂ，１６ｃには、外気をケース１６内に吸い込むために図略の吸込口が設けられている。また、ケース１６の天板１６ｄにはケース１６内の空気を外部に吹き出すための吹出口１６ｅが設けられている。
【００２９】
送風機１２としては、例えば軸流送風機、遠心送風機、斜流送風機などを用いることができる。図１に示すように、送風機１２は、羽根車１２ａと、この羽根車１２ａを回転させる図略のモータとを備えている。本実施形態では、送風機１２は、ケース１６内の上部に設けられており、図２に示す吹出口１６ｅの直下に配置されている。ただし、送風機１２の配置はこれに限られない。送風機１２は、熱交換器１１よりも空気の流れ方向の下流側に位置している。
【００３０】
空気調和装置の運転時には、圧縮機１３が運転されることにより冷媒が室外機１０と室内機との間を循環するとともに、送風機１２のモータが運転されることにより羽根車１２ａが回転し、外気がケース１６の吸込口からケース１６の内部に吸い込まれる。ケース１６の内部に吸い込まれた外気は、熱交換器１１において冷媒と熱交換した後、吹出口１６ｅを通じてケース１６の外部に吹き出される。
【００３１】
例えば冷房運転時には、ケース１６の内部に吸い込まれた外気は、凝縮器として機能する熱交換器１１における伝熱管を介して、この伝熱管内を流れる高温高圧の冷媒と熱交換する。すなわち、外気は、熱交換器１１の伝熱管及び冷媒を冷却する。これにより、熱交換器１１の伝熱管を流れる冷媒は冷却されて凝縮する。外気温度センサ１５は、外気温度を検知することができる。
【００３２】
［噴霧機構］
次に、噴霧機構１について説明する。図１に示すように、噴霧機構１は、１つ又は複数の二流体噴霧器２と、液体供給機構８０と、気体供給機構９０とを備えている。以下では、噴霧機構１が複数の二流体噴霧器２を備えている場合を例に挙げて説明するが、噴霧機構１は１つの二流体噴霧器２のみを備えていてもよい。
【００３３】
複数の二流体噴霧器２の配置は、特に限定されないが、例えば図２に示すような配置例を挙げることができる。図２に示す配置例では、複数の二流体噴霧器２は、熱交換器１１に対向する位置に配列されている。各二流体噴霧器２は、送風機１２の羽根車１２ａが回転することにより形成される気流の方向において、熱交換器１１よりも上流側に位置している。本実施形態では、複数の二流体噴霧器２は、熱交換器１１の側方に配置されている。具体的に、熱交換器１１に沿った３つの側板１６ａ，１６ｂ，１６ｃのそれぞれに、１つ又は複数の二流体噴霧器２が対向するように配置されている。
【００３４】
複数の二流体噴霧器２は、二流体噴霧器２による冷却効果が熱交換器１１のほぼ全体にわたって及ぼされるように、熱交換器１１に対向する３つの側板１６ａ、１６ｂ、１６ｃにおいて互いに間隔を空けて配置されている。各二流体噴霧器２は、ケース１６の側板、天板、又はケース１６に別途設けられた図略の支持部材によって支持されている。
【００３５】
各二流体噴霧器２は、熱交換器１１に向かう空気に水を噴霧する。図１に示す実施形態では、二流体噴霧器２における水滴の噴霧方向が熱交換器１１とは反対側（熱交換器１１から遠ざかる方向）に向いているが、これに限られない。例えば、図１２に示す室外機１０の変形例２のように二流体噴霧器２における水滴の噴霧方向は熱交換器１１側に向いていてもよく、図１３に示す室外機１０の変形例３のように二流体噴霧器２における水滴の噴霧方向は熱交換器１１に沿った方向（図１５では下方）に向いていてもよい。
【００３６】
図１に示す実施形態では、二流体噴霧器２から噴霧された水滴は、図１において一点鎖線の矢印で示すように、熱交換器１１とは反対側に向かう空気中を放射状に拡散しながら、次第に熱交換器１１側に向きを変え、熱交換器１１に向かって移動する。水滴の全部又はその大半は、熱交換器１１に到達する前に気化する。
【００３７】
液体供給機構８０は、液送配管８１と、液送ポンプ８２とを含む。液送配管８１は、例えば水道などの水供給源１００と二流体噴霧器２とを接続している。液送ポンプ８２は、液送配管８１を通じて水を二流体噴霧器２に送る。
【００３８】
気体供給機構９０は、気送配管９１と、例えばコンプレッサーなどの気送ポンプ９２とを含む。気送配管９１は、気送ポンプ９２と二流体噴霧器２とを接続している。気送ポンプ９２は、気送配管９１を通じて空気を二流体噴霧器２に送る。
【００３９】
図１では、１つの二流体噴霧器２に対して液体供給機構８０及び気体供給機構９０が接続されている状態を示しており、他の二流体噴霧器２の図示を省略しているが、液体供給機構８０及び気体供給機構９０は、他の二流体噴霧器２に対しても図１に示す接続状態と同様に接続される。具体的には、例えば、液体供給機構８０の液送配管８１は、途中で分岐して複数の二流体噴霧器２に接続され、気体供給機構９０の気送配管９１は、途中で分岐して複数の二流体噴霧器２に接続される。
【００４０】
制御部１４は、外気温度センサ１５によって外気温度が所定の温度以上に達したことを検知すると、冷房運転の負荷が所定のレベルを超えたと判断し、液送ポンプ８２及び気送ポンプ９２を制御して複数の二流体噴霧器２から水の噴霧を開始する。例えば、制御部１４は、所定時間の間、各二流体噴霧器２から連続的に又は間欠的に水が噴霧されるように液送ポンプ８２及び気送ポンプ９２を制御する。
【００４１】
液送ポンプ８２及び気送ポンプ９２が運転されると、液送配管８１を通じて二流体噴霧器２に水が供給されるとともに、気送配管９１を通じて二流体噴霧器２に空気が供給される。これにより、二流体噴霧器２から微細化された水滴が噴霧される。
【００４２】
［二流体噴霧器］
次に、二流体噴霧器２について詳細に説明する。図３は、本発明の実施形態に係る二流体噴霧器２を示す断面図である。本実施形態の二流体噴霧器２は、水道水の圧力又はそれに近い圧力で水滴を微粒化することができる。図３に示すように、二流体噴霧器２は、空気と水とが混合される気液混合部３と、気泡生成部５と、気泡微細化部６と、噴霧部７とを備えている。気液混合部３、気泡生成部５、気泡微細化部６及び噴霧部７は、気液二相流の流れる方向に沿ってこの順に並んでいる。
【００４３】
二流体噴霧器２は、例えば筒状のケース８を備えている。ただし、ケース８の形状は筒状に限られない。ケース８の軸方向の長さは、例えば５０ｍｍ〜３００ｍｍ程度（例えば１００ｍｍ）に設定してもよく、ケース８の内部の直径は、例えば５ｍｍ〜３０ｍｍ程度（例えば１０ｍｍ）に設定してもよいが、ケース８の大きさは、上記の長さ及び直径に限定されるものではない。
【００４４】
図３に示すように、気液混合部３には、液送配管８１を流れる水Ｌが水入口８ａを通じて供給され、気送配管９１を流れる空気Ｇが空気入口８ｂを通じて供給される。本実施形態では、二流体噴霧器２の気液混合部３に供給される空気と水の質量流量比（ＧＬＲ）は０．０４以上に設定される。ＧＬＲの上限値は、特に限定されるものではないが、具体例を挙げると次のようになる。
【００４５】
噴霧実験においてＧＬＲが３．１４９であっても二流体噴霧器２から微細化された水滴を噴霧することができた。したがって、ＧＬＲは、例えば３．１４９以下とすることができる。また、より高い微粒化効果を得るためには、ＧＬＲは、０．７００以下とするのが好ましく、さらに高い微粒化効果を得るためには、ＧＬＲは、０．６５５以下とするのが好ましい。また、ＧＬＲを０．４５４に設定してハイスピードカメラを用いて二流体噴霧器２の気泡微細化部６を確認したところ、気泡微細化部６において微細な気泡が生成されていた。このことから、ＧＬＲは、０．５００以下であるのがより好ましく、０．４５４以下であるのがさらに好ましい。本実施形態では、これまでの実験結果を考慮すると、ＧＬＲは、０．０４以上０．３００以下であるのが特に好ましく、この場合には、気泡を多く発生させることができ、結果として安定した噴霧を得ることができる。
【００４６】
本実施形態では、二流体噴霧器２に供給する水の圧力は、水道水の圧力以下であるのが好ましい。具体的には、二流体噴霧器２に供給する水の圧力は、０．３ＭＰａ以下であるのが好ましく、０．２ＭＰａ以下であるのがより好ましい。
【００４７】
二流体噴霧器２に供給する水流量の下限は、０．０２０Ｌ／分以上であるのが好ましく、０．０３０Ｌ／分以上であるのがより好ましい。二流体噴霧器２に供給する水流量の上限は、２．０Ｌ／分以下であるのが好ましく、１．０Ｌ／分以下であるのがより好ましい。具体例として、二流体噴霧器２に流入する水流量は０．０４０Ｌ／分〜０．０８０Ｌ／分とすることができるが、これに限られない。
【００４８】
気液混合部３において生成された気液二相流は、二流体噴霧器２のケース８内を噴霧部７に向かって流れる間に、噴霧部７よりも上流側の領域４において、流動様式が環状流になることがある。環状流は、例えば図３に示すようにケース８の内周面に沿って水の領域が環状に形成され、この環状の水領域の内部に空気の領域が形成される。ただし、本実施形態において環状流は、図３に示すように水の領域と空気の領域が厳密に分かれている場合に限られず、環状の水領域に多少の気泡が含まれていてもよく、また、中央の空気領域に多少の水が流れていてもよい。
【００４９】
気泡生成部５は、ＧＬＲが０．０４以上の気液二相流を通過させて気泡を生成する。具体的には、気泡生成部５は、これの下流に設けられている気泡微細化部６において気泡を微細化できる程度の中間的な大きさの気泡（比較的大きな気泡）を予め生成しておくためのものである。当然のことながら、図３に示す気泡生成部５の直前の領域である環状流においても多少の気泡が存在することもあり、この場合には、環状流が気泡生成部５を通過した後の気液二相流に含まれる気泡は、通過する前の環状流に含まれる気泡に比べて、水中においてより分散した状態となる。
【００５０】
気泡微細化部６は、気泡生成部５を通過した気液二相流に含まれる気泡を微細化する。図３に示すように、気泡微細化部６は、気泡生成部５の直後（気泡生成部５の下流側に隣接する位置）に設けられている。気泡微細化部６は、噴霧部７の直前（噴霧部７の上流側に隣接する位置）に設けられている。気泡微細化部６には、その上流側に隣接する気泡生成部５において予め生成された中間的な大きさの気泡を含む気液二相流が供給される。これにより、中間的な大きさの気泡が気泡微細化部６において微細化されるので、環状流から気泡流又はそれに近い流動状態の気液二相流を効果的に生成することができる。
【００５１】
図３に示す本実施形態では、二流体噴霧器２の先端部におけるケース８の内周面は、噴霧部７に向かうにつれて先細りするテーパー面である。すなわち、二流体噴霧器２の先端部においては気液二相流の流路が下流側に向かうにつれて先細りしている。これにより、二流体噴霧器２の先端部においては、二流体噴霧器２の内部を流れる気液二相流の流速が噴霧部７の噴出孔７０に向かうにつれて次第に高められる。
【００５２】
噴霧部７は、気泡微細化部６を通過した後の気液二相流を噴出する噴出孔７０を有する。本実施形態において、噴霧部７と気泡微細化部６との境界は、噴出孔７０の上流側の端である。噴霧部７には、気泡微細化部６において生成された微細な気泡が分散した気液二相流が供給され、この気液二相流が噴出孔７０から噴出される。このとき、噴出孔７０又はその近傍において微細な気泡が破裂する力によって水滴が微粒化される。噴出孔７０から噴出される水滴の平均粒子径は、特に限定されるものではないが、本実施形態では、例えば６０μｍ以下にすることができる。噴出孔７０から噴出される水滴の速度は、例えば数十ｍ／秒〜数百ｍ／秒程度（例えば２００ｍ／秒程度）になる。
【００５３】
上記のような構造を備えた本実施形態の二流体噴霧器２では、以下のような理由から、水道水の圧力よりも大きな高圧の水を二流体噴霧器に供給しなくても、水道水の圧力程度の低圧で水滴を微粒化することができる。
【００５４】
すなわち、本実施形態では、二流体噴霧器２には、高いＧＬＲ（すなわち、ＧＬＲ≧０．０４）となるように空気と水が供給される。このような高いＧＬＲの場合、空気の圧力が高くなるので、水圧を高くする必要がなく、その結果、水供給源１００として水道を用いることができる。しかしながら、ＧＬＲが高くなると、空気と水が混合される二流体噴霧器２の内部において気液二相流の流動様式が環状流になりやすい。流動様式が環状流になると、二流体噴霧器２の噴出孔７０から噴霧される水滴が微粒化されにくくなる。本実施形態の二流体噴霧器２は、二流体噴霧器２の内部において流動様式が環状流となったとしても、噴出孔７０から噴出される直前の段階において水中に微細な気泡が分散した流動様式に変化させることができれば、噴出孔７０から噴出される水滴を微粒化することができるという考えに基づいている。すなわち、本実施形態では、高いＧＬＲで空気と水が混合されて二流体噴霧器２の内部において環状流となったとしても、二流体噴霧器２の噴霧部７に隣接する上流側の領域において気泡流を生成することにより、高い微粒化効果を得ることができる。
【００５５】
以上の通り本実施形態に係る二流体噴霧器２について説明したが、以下では、二流体噴霧器２の具体例について図４〜図１２を参照しながら詳細に説明する。図４〜図１２のそれぞれは、図３の二流体噴霧器２における下流側（噴霧部７側）の一部を具体的に示したものである。なお、二流体噴霧器２の構造は、以下の第１実施形態〜第８実施形態に限定されるものではない。
【００５６】
［第１実施形態］
図４は、本発明の第１実施形態に係る二流体噴霧器２を示す断面図である。図４に示すように、第１実施形態の二流体噴霧器２では、気泡生成部５は第１の多孔体５１を有し、気泡微細化部６は第２の多孔体６１を有する。
【００５７】
第１の多孔体５１は、気液混合部３において生成された気液二相流（空気と水の質量流量比ＧＬＲが０．０４以上の気液二相流）が通過可能である。すなわち、第１の多孔体５１は通水性及び通気性を有する。第１の多孔体５１は、気液混合部３において生成された気液二相流を通過させて気泡を生成する機能を有する。
【００５８】
第２の多孔体６１は、気泡生成部５を通過した後の気液二相流が通過可能である。すなわち、第２の多孔体６１は通水性及び通気性を有する。第２の多孔体６１は、気泡生成部５を通過した後の気液二相流に含まれる気泡を微細化する機能を有する。第２の多孔体６１は、第１の多孔体５１よりも目が細かい。
【００５９】
第１の多孔体５１の構造、第１の多孔体５１を構成する材料などは特に限定されないが、次のような形態を例示することができる。第１の多孔体５１は、例えば多孔質材料によって形成されていてもよい。この多孔質材料は、気液二相流が通過可能な連続した流路を有する。多孔質材料としては、例えば多孔質プラスチック、多孔質金属、多孔質セラミックスなどを挙げることができるが、これらに限られない。多孔質プラスチックとしては、例えばスポンジなどを挙げることができる。多孔質材料は、第１の多孔体５１の厚み方向において均一な気孔が形成されていてもよく、厚み方向において気孔率が変化するように形成されていてもよい。また、第１の多孔体５１は、プラスチック板、金属板、セラミックス板などの板状部材に複数の貫通孔が形成されたものであってもよい。複数の貫通孔が形成された金属板としては、例えばパンチングメタルを挙げることができる。
【００６０】
第２の多孔体６１は、上記のような多孔質材料によって形成されていてもよく、上記のような板状部材に複数の貫通孔が形成されたものであってもよい。第１の多孔体５１と第２の多孔体６１は、互いに異なる構造であってもよい。また、第１の多孔体５１と第２の多孔体６１は、同じ材料によって形成されていてもよく、異なる材料によって形成されていてもよい。
【００６１】
上述したように第２の多孔体６１は、第１の多孔体５１よりも目が細かい。第２の多孔体６１が第１の多孔体５１よりも目が細かくなるようにするには、例えば次のような手段を挙げることができる。例えば、第２の多孔体６１の孔径（平均孔径）を第１の多孔体５１の孔径（平均孔径）よりも小さくしてもよい。また、第２の多孔体６１の気孔率（開口率）を第１の多孔体５１の気孔率（開口率）よりも小さくしてもよい。気孔率（開口率）は、多孔体の総体積に対する孔の体積の割合である。
【００６２】
第１の多孔体５１の孔径、気孔率、第２の多孔体６１の孔径、気孔率、第１の多孔体５１の厚み、第２の多孔体６１の厚みは、特に限定されるものではなく、二流体噴霧器２の内部において圧力損失が大きくなりすぎない程度で、且つ、第１の多孔体５１の機能及び第２の多孔体６１の機能を発揮できる程度に適宜調節される。
【００６３】
図４に示すように、気泡生成部５は、第１の多孔体５１と第２の多孔体６１との間に設けられた隙間５０を含む。このように第１の多孔体５１と第２の多孔体６１との間に隙間５０が設けられているので、気泡生成部５において中間的な大きさの複数の気泡を安定して生成することができる。
【００６４】
二流体噴霧器２の軸方向における隙間５０の大きさＬ１は、特に限定されるものではない。図４に示す具体例では、隙間５０の大きさＬ１は、第１の多孔体５１の厚みよりも大きいが、これに限られない。隙間５０の大きさＬ１は、気泡生成部５において生成する気泡の直径（気泡微細化部６において気泡を微細化できる程度の中間的な大きさの気泡の直径）よりも大きくするのが好ましい。
【００６５】
気泡微細化部６は、第２の多孔体６１と噴霧部７との間に設けられた隙間６０を含む。このように第２の多孔体６１と噴霧部７との間に隙間６０が設けられているので、気泡微細化部６において微細な複数の気泡を安定して生成することができる。
【００６６】
二流体噴霧器２の軸方向における隙間６０の大きさＬ２は、特に限定されるものではない。図４に示す具体例では、隙間６０の大きさＬ２は、第２の多孔体６１の厚みよりも大きいが、これに限られない。隙間６０の大きさＬ２は、気泡微細化部６において生成する気泡の直径よりも大きくするのが好ましい。
【００６７】
［第２実施形態］
図５は、本発明の第２実施形態に係る二流体噴霧器２を示す断面図である。第２実施形態の二流体噴霧器２は、気泡微細化部６の構造が第１実施形態と異なっており、それ以外の構造は第１実施形態と同様である。図５に示すように、第２実施形態の二流体噴霧器２では、気泡生成部５は多孔体５１を有し、気泡微細化部６は超音波付与部６２を有する。第２の実施形態における多孔体５１は、第１実施形態における第１の多孔体５１と同様である。
【００６８】
超音波付与部６２は、気泡生成部５を通過した後の気液二相流に超音波を付与する機能を有している。図５に示すように、超音波付与部６２は、その先端部に超音波振動子６２ａを備えている。本実施形態では、超音波振動子６２ａは、ケース８の内部に挿入されてケース８内の気液二相流に接するように配置されているが、これに限られない。超音波振動子６２ａは、例えば二流体噴霧器２のケース８の外側面に接するように又は外側面に近接するように配置されていてもよい。超音波振動子６２ａの振動がケース８の内部の気液二相流に伝わることによって気泡微細化部６において気泡が微細化される。
【００６９】
超音波振動子６２ａは、二流体噴霧器２の軸方向において、気泡生成部５の多孔体５１よりも下流側で且つ多孔体５１から距離Ｌ１だけ離れた位置に配置されている。これにより、気泡生成部５には第１実施形態で説明したような隙間５０が設けられている。
【００７０】
また、第２実施形態においても、気泡微細化部６は、超音波付与部６２の超音波振動子６２ａと噴霧部７との間に設けられた隙間６０を含む。このように超音波付与部６２と噴霧部７との間に隙間６０が設けられているので、気泡微細化部６において微細な複数の気泡を安定して生成することができる。二流体噴霧器２の軸方向における隙間６０の大きさＬ２の好ましい特徴については第１実施形態と同様であるので説明を省略する。
【００７１】
［第３実施形態］
図６は、本発明の第３実施形態に係る二流体噴霧器２を示す断面図である。第３実施形態の二流体噴霧器２は、気泡生成部５の構造が第１実施形態と異なっており、それ以外の構造は第１実施形態と同様である。図６に示すように、第３実施形態の二流体噴霧器２では、気泡生成部５は旋回流付与部５２を有し、気泡微細化部６は多孔体６１を有する。第３の実施形態における多孔体６１は、第１実施形態における第２の多孔体６１と同様である。
【００７２】
旋回流付与部５２は、気液混合部３において生成された気液二相流（空気と水の質量流量比ＧＬＲが０．０４以上の気液二相流）に旋回流を付与する機能を有する。旋回流付与部５２は、例えば二流体噴霧器２の軸を中心に旋回するような流れを形成することによって気泡を生成する。
【００７３】
図６に示す具体例では、旋回流付与部５２は、ケース８の内周面に沿って形成された螺旋状（雌ねじ状）の溝５２ａを有している。溝５２ａは、二流体噴霧器２の軸方向に並ぶ隣り合う凸部５２ｂの間の部位である。凸部５２ｂは、ケース８の内周面から軸方向に交わる方向（例えば軸方向に直交する方向）に、二流体噴霧器２の中心軸に向かって突出している。
【００７４】
第３実施形態では、旋回流付与部５２の溝５２ａが螺旋状であるので、気液混合部３において生成された気液二相流は、気泡生成部５よりも上流側において環状流となっていたとしても、溝５２ａに沿って流れることによって旋回流となる。気液二相流は、旋回流になることによって流れが乱されて気泡が生成される。
【００７５】
図６に示すように、気泡生成部５は、旋回流付与部５２と多孔体６１との間に設けられた隙間５０を含む。このように旋回流付与部５２と多孔体６１との間に隙間５０が設けられているので、気泡生成部５において中間的な大きさの複数の気泡を安定して生成することができる。第３実施形態において、二流体噴霧器２の軸方向における隙間５０の大きさＬ１は、旋回流付与部５２の下流側の端から多孔体６１までの距離である。隙間５０の大きさＬ１の好ましい特徴については第１実施形態と同様であるので説明を省略する。
【００７６】
［第４施形態］
図７は、本発明の第４実施形態に係る二流体噴霧器２を示す断面図である。図７に示すように、第４実施形態の二流体噴霧器２は、気泡生成部５の構造が第３実施形態と同様であり、気泡微細化部６の構造が第２実施形態と同様である。すなわち、第４実施形態の二流体噴霧器２では、気泡生成部５は旋回流付与部５２を有し、気泡微細化部６は超音波付与部６２を有する。旋回流付与部５２の構造及び超音波付与部６２の構造は、第２実施形態及び第３実施形態において述べた通りであるので、これらの説明を省略する。
【００７７】
［第５施形態］
図８は、本発明の第５実施形態に係る二流体噴霧器２を示す断面図である。第５実施形態の二流体噴霧器２は、気泡生成部５の構造が第１実施形態と異なっており、それ以外の構造は第１実施形態と同様である。図８に示すように、第５実施形態の二流体噴霧器２では、気泡生成部５は抵抗体の一例である板状部５３を有し、気泡微細化部６は多孔体６１を有する。第５の実施形態における多孔体６１は、第１実施形態における第２の多孔体６１と同様である。
【００７８】
板状部５３は、気液混合部３において生成された気液二相流（空気と水の質量流量比ＧＬＲが０．０４以上の気液二相流）の流れの抵抗となることによって、その気液二相流において気泡を生成する機能を有する。
【００７９】
図８に示す具体例では、板状部５３は、振動板５３ｂと、この振動板５３ｂを支持する支持部５３ａとを有する。振動板５３ｂの一端は、支持部５３ａを中心に回動自在（スイング自在）となるように支持部５３ａに支持されている。支持部５３ａは、ケース８に対して図略の固定部材によって固定されている。
【００８０】
第５実施形態では、振動板５３ｂが水流の力を受けてスイングすることによって、気液混合部３において生成された気液二相流は、気泡生成部５よりも上流側において環状流となっていたとしても、振動板５３ｂに衝突して流れが乱されて気泡が生成される。
【００８１】
図８に示すように、気泡生成部５は、板状部５３と多孔体６１との間に設けられた隙間５０を含む。このように板状部５３と多孔体６１との間に隙間５０が設けられているので、気泡生成部５において中間的な大きさの複数の気泡を安定して生成することができる。二流体噴霧器２の軸方向における隙間５０の大きさＬ１については第１実施形態と同様であるので説明を省略する。
【００８２】
［第６実施形態］
図９は、本発明の第６実施形態に係る二流体噴霧器２を示す断面図である。図９に示すように、第６実施形態の二流体噴霧器２は、気泡生成部５の構造が第６実施形態と同様であり、気泡微細化部６の構造が第２実施形態と同様である。すなわち、第６実施形態の二流体噴霧器２では、気泡生成部５は板状部５３を有し、気泡微細化部６は超音波付与部６２を有する。板状部５３の構造及び超音波付与部６２の構造は、第２実施形態及び第６実施形態において述べた通りであるので、これらの説明を省略する。
【００８３】
［第７実施形態］
図１０は、本発明の第７実施形態に係る二流体噴霧器２を示す断面図である。第７実施形態の二流体噴霧器２は、気泡生成部５の構造が第１実施形態と異なっており、それ以外の構造は第１実施形態と同様である。図１０に示すように、第７実施形態の二流体噴霧器２では、気泡生成部５は抵抗体の一例である段差部５４を有し、気泡微細化部６は多孔体６１を有する。第７の実施形態における多孔体６１は、第１実施形態における第２の多孔体６１と同様である。
【００８４】
段差部５４は、気液混合部３において生成された気液二相流（空気と水の質量流量比ＧＬＲが０．０４以上の気液二相流）の流れの抵抗となることによって、その気液二相流において気泡を生成する機能を有する。段差部５４は、気液二相流の流れの抵抗となる位置に配置された板状、棒状などの部材である。
【００８５】
図１１（Ａ）は、第７実施形態の二流体噴霧器における抵抗体としての段差部５４の一例を示す断面図であり、図１１（Ｂ）は、第７実施形態の二流体噴霧器における抵抗体としての段差部５４の他の例を示す断面図である。図１１（Ａ）に示す形態では、段差部５４は、中心に貫通孔を有するリング状の部材であり、ケース８の内周面との間に段差を形成している。図１１（Ｂ）に示す形態では、気泡生成部５は、複数の段差部５４を有している。複数の段差部５４のそれぞれは、ケース８の内周面からケース８の中心軸に向かって起立する板状の部材であり、ケース８の内周面との間に段差を形成している。複数の段差部５４は、周方向に互いに間隔をあけて配置されている。
【００８６】
第７実施形態では、気液混合部３において生成された気液二相流は、気泡生成部５よりも上流側において環状流となっていたとしても、段差部５４に衝突して流れが乱されて気泡が生成される。
【００８７】
図１０に示すように、気泡生成部５は、段差部５４と多孔体６１との間に設けられた隙間５０を含む。このように段差部５４と多孔体６１との間に隙間５０が設けられているので、気泡生成部５において中間的な大きさの複数の気泡を安定して生成することができる。二流体噴霧器２の軸方向における隙間５０の大きさＬ１については第１実施形態と同様であるので説明を省略する。
【００８８】
［第８実施形態］
図１２は、本発明の第８実施形態に係る二流体噴霧器２を示す断面図である。図１２に示すように、第８実施形態の二流体噴霧器２は、気泡生成部５の構造が第７実施形態と同様であり、気泡微細化部６の構造が第２実施形態と同様である。すなわち、第８実施形態の二流体噴霧器２では、気泡生成部５は段差部５４を有し、気泡微細化部６は超音波付与部６２を有する。段差部５４の構造及び超音波付与部６２の構造は、第２実施形態及び第７実施形態において述べた通りであるので、これらの説明を省略する。
【００８９】
［実施形態のまとめ］
以上説明したように、実施形態に係る二流体噴霧器２は、空気と水の質量流量比ＧＬＲが０．０４以上の気液二相流を通過させて気泡を生成する気泡生成部５と、気泡生成部５を通過した気液二相流に含まれる気泡を微細化する気泡微細化部６と、気泡微細化部６を通過した後の気液二相流を噴出する噴出孔７０を有する噴霧部７とを備える。
【００９０】
高いＧＬＲ（すなわち、ＧＬＲ≧０．０４）となるように空気と水が供給される二流体噴霧器２の内部では、気液二相流の流動様式が環状流になりやすい。そこで、上記の実施形態では、二流体噴霧器２の内部において流動様式が環状流となった気液二相流を、二流体噴霧器の内部において噴出孔７０に至るまでの間に、気泡生成部５と気泡微細化部６において段階的に、気泡が微細化された気液二相流に変化させる。要するに、図４〜図１０，図１２に示すように、環状流の領域４において空気Ｇは環状の水Ｌの内側で柱状の塊となっているが、この柱状の塊の空気Ｇは、気泡生成部５及び気泡微細化部６において段階的に微細な気泡に分解される。気泡生成部５は、環状流における柱状の塊の空気Ｇを複数の大気泡に分解し、気泡微細化部６は、大気泡を複数の微細気泡に分解する。
【００９１】
すなわち、上記の実施形態では、流動様式が環状流である気液二相流が気泡生成部５を通過することによって気泡が生成され、この気泡生成部５を通過した気液二相流に含まれる気泡を気泡微細化部６において微細化する。このように流動様式が環状流である気液二相流は、気泡生成部５と気泡微細化部６において段階的に気泡が微細化されることにより、微細な気泡が分散した気液二相流（流動様式が気泡流である気液二相流又はそれに近い流動状態の気液二相流）に変化する。そして、微細な気泡が分散した気液二相流が噴霧部７において噴出孔７０から噴出される。このとき、噴出孔７０又はその近傍において微細な気泡が破裂する力によって水滴が微粒化される。以上のことから、上記の実施形態では、水道水の圧力又はそれに近い圧力であっても水滴を微粒化することができる。
【００９２】
なお、上記の実施形態のように気泡生成部５と気泡微細化部６を用いた段階的な手段ではなく、単一の手段で環状流を気泡流又はそれに近い流動状態に直接変化させるのは困難である。その一方で、上記の実施形態のように、気泡微細化部６において気泡を微細化できる程度の中間的な大きさの気泡を気泡生成部５において予め生成しておくことによって、環状流から気泡流又はそれに近い流動状態の気液二相流を効果的に生成することができる。
【００９３】
また、例えば単一の多孔体で環状流を気泡流又はそれに近い流動状態に変化させようとすると、多孔体を通過するときの圧力損失が大きくなりすぎるという不具合が生じるが、段階的に気泡を微細化する上記の実施形態では、そのような圧力損失の増大が生じるのを抑制することができる。
【００９４】
第１〜第８実施形態では、二流体噴霧器２において、気泡微細化部６は、気泡生成部５を通過した後の気液二相流が通過する多孔体６１、又は気泡生成部５を通過した後の気液二相流に超音波を付与する超音波付与部６２を有している。
【００９５】
この構成では、気泡生成部５において生成された中間的な大きさの気泡をさらに微細化する手段として、多孔体６１及び超音波付与部６２の少なくとも一方を採用することにより、微細な気泡が分散した気液二相流を、噴霧部７の噴出孔７０に安定して供給することができる。
【００９６】
第１〜第８実施形態では、二流体噴霧器２において、気泡生成部５は、質量流量比（ＧＬＲ）が０．０４以上の気液二相流が通過する多孔体５１、質量流量比が０．０４以上の気液二相流に旋回流を付与する旋回流付与部５２、質量流量比（ＧＬＲ）が０．０４以上の気液二相流の流れの抵抗となる板状部５３、又は質量流量比（ＧＬＲ）が０．０４以上の気液二相流の流れの抵抗となる段差部５４を有している。
【００９７】
気泡生成部５は、気泡微細化部６において気泡を微細化できる程度の中間的な大きさの気泡を生成できるものであればよい。したがって、気泡生成部５としては、上記のように多孔体５１、旋回流付与部５２、板状部５３及び段差部５４の少なくとも１つを採用することができる。
【００９８】
第１実施形態では、二流体噴霧器２において、気泡生成部５は、質量流量比（ＧＬＲ）が０．０４以上の気液二相流が通過する第１の多孔体５１を有し、気泡微細化部６は、気泡生成部５を通過した後の気液二相流が通過するものであって第１の多孔体５１よりも目の細かい第２の多孔体６１を有している。
【００９９】
この構成では、気泡微細化部６において気泡を微細化できる程度の中間的な大きさの気泡を第１の多孔体５１において生成し、この中間的な大きさの気泡を第２の多孔体６１においてさらに微細化することができる。
【０１００】
第１実施形態では、二流体噴霧器２において、気泡生成部５は、第１の多孔体５１と第２の多孔体６１との間に設けられた隙間５０を含んでいる。
【０１０１】
この構成では、第１の多孔体５１と第２の多孔体６１との間に隙間５０が設けられているので、中間的な大きさの複数の気泡を安定して生成することができる。
【０１０２】
上記の実施形態の空気調和装置の室外機１０は、熱交換器１１と、熱交換器１１に向かう空気に水を噴霧する二流体噴霧器２と、を備える。
【０１０３】
この構成では、二流体噴霧器２において微粒化された水滴を噴霧することができるので、噴霧された水により熱交換器に向かう空気が冷却され、その結果、空気調和装置の室外機の運転に必要な入力を低減することができる。また、この構成では、二流体噴霧器２において水道水の圧力又はそれに近い圧力で水滴を微粒化することができるので、例えば水圧を高めるための手段（噴霧圧力を高めるための手段）を別途設けなくてもよい。
【０１０４】
［その他の変形例］
以上、本発明の実施形態について説明したが、本発明はこれらの実施形態に限定されるものではなく、その趣旨を逸脱しない範囲で種々変更、改良等が可能である。
【０１０５】
図１３は、室外機１０の変形例１を示す概略図である。図１４は、室外機１０の変形例２を示す概略図である。図１５は、室外機１０の変形例３を示す概略図である。二流体噴霧器２、熱交換器１１及び送風機１２は、図１３に示す変形例１のように配置されていてもよい。図１３に示す配置例では、送風機１２が熱交換器１１に水平方向に対向する位置に設けられている。このような形態は、例えば家庭用の小型の室外機などで採用されているが、それに限定されるものではない。また、図１４に示す変形例２のように、二流体噴霧器２は水滴を熱交換器１１に向けて噴霧するにように配置されていてもよい。また、図１５に示す変形例３のように、二流体噴霧器２は水滴を下方に向けて噴霧するように配置されていてもよい。
【０１０６】
前記実施形態では、室外機１０が複数の二流体噴霧器２を備える場合を例示したが、これに限られず、室外機１０は１つの二流体噴霧器２のみを備えていてもよい。
【０１０７】
前記実施形態では、二流体噴霧器２を空気調和装置の室外機１０に適用する場合を例示したが、これに限られない。二流体噴霧器２は、室外機以外の他の用途にも適用することができる。具体的には、二流体噴霧器２は、例えば室内を加湿する用途（例えば植物工場内を加湿する用途）などに適用することもできる。
【０１０８】
前記実施形態では、気泡生成部５は、多孔体５１、旋回流付与部５２、板状部５３及び段差部５４の何れか１つを有する場合を例示したが、これに限られない。気泡生成部５は、多孔体５１、旋回流付与部５２、板状部５３及び段差部５４のうちの２つ以上を含んでいてもよい。
【０１０９】
前記実施形態では、気泡微細化部６は、多孔体６１及び超音波付与部６２の何れか１つを有する場合を例示したが、これに限られない。気泡微細化部６は、多孔体６１及び超音波付与部６２の両方を有していてもよい。
【０１１０】
前記実施形態では、気泡生成部５は、第１の多孔体５１と第２の多孔体６１との間に設けられた隙間５０を含む場合を例示したが、これに限られない。第１の多孔体５１と第２の多孔体６１とは隙間なく接していてもよい。また、前記実施形態では、気泡微細化部６は、第２の多孔体６１と噴霧部７との間に設けられた隙間６０を含む場合を例示したが、これに限られず、隙間６０を省略してもよい。多孔体５１，６１以外の場合も同様に、気泡生成部５は、隙間５０を有していなくてもよく、気泡微細化部６は、隙間６０を有していなくてもよい。
【符号の説明】
【０１１１】
１  噴霧機構
２  二流体噴霧器
３  気液混合部
５  気泡生成部
６  気泡微細化部
７  噴霧部
１０  空気調和装置の室外機
１１  熱交換器
５０  隙間
５１  多孔体
５２  旋回流付与部
５３  板状部
５４  段差部
６０  隙間
６１  多孔体
６２  超音波付与部
７０  噴出孔
ＧＬＲ  空気と水の質量流量比
【図１】
2016075424.tif 000003
【図２】
2016075424.tif 000004
【図３】
2016075424.tif 000005
【図４】
2016075424.tif 000006
【図５】
2016075424.tif 000007
【図６】
2016075424.tif 000008
【図７】
2016075424.tif 000009
【図８】
2016075424.tif 000010
【図９】
2016075424.tif 000011
【図１０】
2016075424.tif 000012
【図１１】
2016075424.tif 000013
【図１２】
2016075424.tif 000014
【図１３】
2016075424.tif 000015
【図１４】
2016075424.tif 000016
【図１５】
2016075424.tif 000017